(57)【特許請求の範囲】
【請求項１】
被作用体に巻回して作動する複数個の空気袋と、これらの空気袋に対し空気供給管を介して個々に空気を給排気する複数個の切換弁装置と、該切換弁装置に接続した空気圧源装置と、前記空気供給管に取り付けた圧力センサと、作動中に該圧力センサによる圧力変化状態を検知して異常を検出する検出手段と、該検出手段により異常発生を検出すると警報を発する警報手段と、前記異常発生時を起点とする経時時間を測定し表示する計時表示手段とを備えたことを特徴とするエアマッサージ器。
【請求項２】
前記検出手段は異常発生個所を検出することを特徴とする請求項１に記載のエアマッサージ器。
【請求項３】
前記異常発生個所は前記切換弁装置を境界とする前後部分で検出可能とした請求項２に記載のエアマッサージ器。
【請求項４】
前記警報手段はランプ又はブザー音を出力することを特徴とする請求項１に記載のエアマッサージ器。
【請求項５】
前記空気袋は個々に接続した前記切換弁装置によって作動するようにしたことを特徴とする請求項１に記載のエアマッサージ器。
【請求項６】
前記切換弁装置は給排気を行う１個の三方弁と、前記空気袋ごとに接続した二方弁により構成したことを特徴とする請求項５に記載のエアマッサージ器。
【発明の詳細な説明】
【技術分野】
【０００１】
本発明は、空気圧によりマッサージを行い、異常が発生すると計時を行うと共に警報を発するエアマッサージ器に関するものである。
【背景技術】
【０００２】
従来の警報機能を備えたエアマッサージ器では、単に何らかの異常が発生していることを知らせる機能にとどまり、使用者が睡眠中や意識のない場合においては、異常がどの程度続いていたのかを看護士等が判断することができない。
【０００３】
また、異常警報についても、エア漏れ等の異常の種類を表示するか、単に異常が発生していることのみを、ランプやブザー音で操作者に伝えるだけである。従って、エア漏れによる圧力低下や、システムの故障による圧力コントロールの不能により、装置が機能しなくなった場合に、異常の原因が機器本体にあるのか、空気袋や供給管のような機器本体以外の付属品にあるのか、又はどの付属品が故障しているのかを操作者が直ちに判断することができない。
【０００４】
【特許文献１】実公昭５３−１７６７３号公報
【特許文献２】実公昭５９−６８３２号公報
【発明の開示】
【発明が解決しようとする課題】
【０００５】
使用者が十分に意識のある状態で使用する場合には、故障の状況を使用者に聞けばよいので、さほどの問題はない。
【０００６】
しかし、例えば全身麻酔の手術で発生する可能性のある静脈血栓閉塞症の予防を目的として使用する場合には、使用者の意識のない場合が多く、また操作を行う医師や看護士等が、マッサージ器を常時監視することは事実上不可能であり、異常を直ちに発見することは困難である。
【０００７】
静脈血栓閉塞症は一定時間同じ姿勢をしていることにより発症し、一般にはエコノミー症候群と呼ばれ、静脈血栓閉塞症予防ガイドラインでは中リスク以上の手術の場合はエアマッサージ器によるマッサージ、間欠的空気圧迫法を行うことが推奨されている。このガイドラインによると、中リスクとは婦人科手術においては３０分を超える手術、又は一般外科手術では４５分を超える手術とされている。
【０００８】
つまり、エアマッサージ器の何れかの部分に異常が発生し、異常警報を発した状態で装置が停止した場合に、静脈血栓閉塞症を発症する危険性が高くなり、エアマッサージ器の停止時間がその後の患者への処置を決める重要な判断材料となる。従って、単に異常発生警報を発するだけではなく、異常が何時発生し、どの程度続いていたのかを表示することが極めて重要となる。
【０００９】
本発明の目的は、上述の問題点を解消し、異常発生とその経時時間を操作者に知らせ得るエアマッサージ器を提供することにある。
【課題を解決するための手段】
【００１０】
上記目的を達成するための本発明に係るエアマッサージ器の技術的特徴は、被作用体に巻回して作動する複数個の空気袋と、これらの空気袋に対し空気供給管を介して個々に空気を給排気する複数個の切換弁装置と、該切換弁装置に接続した空気圧源装置と、前記空気供給管に取り付けた圧力センサと、作動中に該圧力センサによる圧力変化状態を検知して異常を検出する検出手段と、該検出手段により異常発生を検出すると警報を発する警報手段と、前記異常発生時を起点とする経時時間を測定し表示する計時表示手段とを備えたことにある。
【発明の効果】
【００１１】
本発明に係るエアマッサージ器によれば、圧力センサによって全ての空気袋圧の制御を行い、切換弁の開閉タイミングやセンサの信号の読み込みタイミングを最適化することによって、異常発生を自己判断すると共に、異常発生時から時間を計時し適切な警報を発することができ、異常発生後の使用者への処置を行う上での重要な判断材料が得られる。
【００１２】
また、動作中に異常個所を自己診断するようにすれば、異常個所を表示することによって、その後の修理や消耗品の手配を迅速に行うことができる。
【発明を実施するための最良の形態】
【００１３】
本発明を図示の実施例に基づいて詳細に説明する。
【実施例１】
【００１４】
図１は空気圧回路の構成図を示しており、コンプレッサ１にはオリフィス弁２、エアタンク３を介して空気供給管４が接続されており、供給管４に圧力検出のための圧力センサ５が取り付けられている。供給管４には、１個のソレノイド三方弁６と２個のソレノイド二方弁７、８が１組とされた３組のマニホルド９ａ、９ｂ、９ｃが並列して接続されている。各ソレノイド二方弁７ａ、８ａ、７ｂ、８ｂ、７ｃ、８ｃには、空気圧により膨張、収縮し、脚の各部位をマッサージする空気袋１０、１１、１２、１３、１４、１５がそれぞれ接続されている。
【００１５】
そして、コンプレッサ１、各ソレノイド三方弁６、各二方弁７、８は、図２の装置本体２０に内蔵する制御回路の動作プログラムにより、所定のマッサージパターンに従って空気袋１０〜１５を膨張、収縮させるようになっている。装置本体２０の正面には、液晶から成るパネル板２１が設けられ、装置本体２０の内部には図１の空気袋１０〜１５以外の機器が内蔵されている。
【００１６】
空気袋１０〜１５の数と二方弁７、８の総数は同数であり、三方弁６を各マニホルド９ａ、９ｂ、９ｃに配置することにより、空気袋１０〜１５は他の空気袋に依存しない圧力の調整が可能となり、３組のマニホルド９ａ、９ｂ、９ｃ間では、給気と排気を独立して行うことができ、マッサージパターンの自由度を大幅に向上できる。
【００１７】
例えば、空気袋１０と空気袋１１を順番に給気、排気するには、マニホルド９ａを使用する。先ず、空気袋１０に給気するため、コンプレッサ１を作動させた状態で、ソレノイド三方弁６ａ、ソレノイド二方弁７ａをオンすると、コンプレッサ１からの圧縮空気は三方弁６ａ、二方弁７ａを通り空気袋１０に流入する。
【００１８】
三方弁６ａ、二方弁７ａをオンにした直後には圧力センサ５の圧力値は一旦低下するが、空気袋１０に空気が充填されるにつれ、圧力センサ５の圧力値は徐々に上昇する。予め制御装置で設定した圧力値と圧力センサ５からの出力が等しくなったとき、つまり空気袋１０が十分に膨張したことを検知すると、ソレノイド二方弁７ａ、ソレノイド三方弁６ａをオフし、更にコンプレッサ１を停止し、空気袋１０内の圧力をそのままに保持する。
【００１９】
次に、空気袋１０の圧力を保持したまま空気袋１１を膨張させるため、コンプレッサ１を再度作動させ、ソレノイド三方弁６ａ、ソレノイド二方弁８ａをオンし、空気袋１１に空気を流入し、圧力センサ５の出力が所定の圧力値に等しくなったとき、二方弁８ａ、三方弁６ａをオフし、コンプレッサ１を停止し、空気袋１１内の圧力を保持する。
【００２０】
空気袋１０内の空気を排気するには、二方弁７ａをオンにし、三方弁６ａを介して排気する。同様に、空気袋１１内の空気を排気するには、二方弁８ａをオンにし、三方弁６ａから排気する。
【００２１】
このように、各マニホルド９ａ、９ｂ、９ｃの三方弁６、二方弁７、８によって空気袋１０〜１５に対する空気圧回路を、制御回路の動作プログラムに従って切換えることによって、１個の圧力センサ５によって複数の空気袋１０〜１５の圧力制御が、マニホルド９ａ、９ｂ、９ｃごとに順次に処理することが可能になる。
【００２２】
作動に当っては、動作プログラムにより三方弁６、二方弁７、８を切換え、圧力センサ５の圧力値が所定の圧力値に達したことを制御回路によって、その都度確認してから、次の動作に移ることが必要である。
【００２３】
エアマッサージ器の作動中に、三方弁６、二方弁７、８を切換後に所定時間が経過しても、つまりタイムオーバとなっても、圧力センサ５の圧力値が所定圧力に達しない場合は、エアマッサージ器の何処かに例えば空気漏れがある異常状態であるので、装置本体２０からランプ、ブザー音等の警報を発する。同時に、計時回路を作動させて、異常発生からの時間の計時を始め、装置本体２０のパネル板２１に経過時間を表示する。
【００２４】
続いて、異常個所を検知するために、診断プログラムを作動し、三方弁６ａ、６ｂ、６ｃをオフにして、圧力センサ５の圧力上昇を検出する。所定時間内に圧力センサ５による圧力が設定圧力に達しない場合はタイムオーバとして、コンプレッサ１側の圧力系統に異常があることが分かり、装置本体２０のパネル板２１に、その旨を表示する。
【００２５】
この三方弁６ａ、６ｂ、６ｃをオフした状態で、所定時間内に圧力センサ５による圧力が所定圧力に上昇すれば、コンプレッサ１側の圧力系統には異常はない。従って、診断プログラムは三方弁６、二方弁７、８がどのような切換状態にあったときに異常が発生したかを調べ、該当する三方弁６、二方弁７、８に関連する圧力系統をこれらの弁を切換えながら調べる。
【００２６】
診断プログラムは該当の弁を切換えながら、圧力センサ５による圧力上昇を確認し、所定時間内に圧力上昇が得られない個所に異常が発生したことを検知する。
【００２７】
例えば、図３のパネル板２１においては、矢印で示す空気袋１４に異常があり、本来１５ｋｐａ程度あるべき圧力が、１０ｋｐａしか上昇しないために、異常が検出されている。また、異常発生時間から３７分が経過したことを示している。
【００２８】
また、圧力センサ５を複数個配置すれば、診断が更に容易となり、迅速に異常個所を発見できる。
【００２９】
実施例においては、空気袋の数は６個としたが、６個以外を使用しても勿論支障はない。また、マニホルドの数も実施例に限られるものではない。更に、空気袋１０〜１５と二方弁７、８の接続は実施例に限らない。
【図面の簡単な説明】
【００３０】
【図１】実施例の空気圧回路の構成図である。
【図２】装置本体の正面図である。
【図３】パネル板の正面図である。
【符号の説明】
【００３１】
１  コンプレッサ
４  空気供給管
５  圧力センサ
６  三方弁
７、８  二方弁
９ａ、９ｂ、９ｃ  マニホルド
１０〜１５  空気袋
２０  装置本体
２１  パネル板
【図１】
0004649364.tif 000002
【図２】
0004649364.tif 000003
【図３】
0004649364.tif 000004